Podtech/llm-jp-corpus-v4-ja_patent huggingface dataset:
【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
第１終端を備えた第１スロットを有するカードと、
第２終端を備えた第２スロットを有するレバーとを有し、該第２終端と該第１終端とが軸に沿って位置合せ可能であり、該軸が、該第１スロットと該第２スロットとの両方に対して実質的に垂直である、
釣糸スプライスツール。
【請求項２】
前記レバーが前記カードに取付け可能である、請求項１に記載の釣糸スプライスツール。
【請求項３】
前記カードがオリフィスを備え、前記レバーが、該レバーを該カードに取り付けるために該オリフィスに挿入可能な突起を備える、請求項２に記載の釣糸スプライスツール。
【請求項４】
釣糸を直線状に接続する方法であって、
第１釣糸部分に接続される第１端部と、第１開口を有し該第１端部の反対側に位置する第２端部と、長手方向軸と、放射状の広がりを有する内部構造とを備えた雌コネクタを用意するステップと、
該雌コネクタの第１開口に同軸挿入されるように構成されかつ該雌コネクタの内部構造の放射状の広がりより大きい放射状の広がり部分を有する突起を備えた第１端部と、該第１端部の反対側に位置し第２釣糸部分に接続される第２端部と、長手方向軸とを有する雄コネクタを用意するステップと、
第１終端を備えた第１のスロットを有するカードを用意するステップと、
該雌コネクタの該第１端部を該第１終端内に挿入して該雌コネクタを保持するステップと、
該雄コネクタを該雌コネクタの該第１開口内に挿入するステップと、
該雄コネクタの該突起の該放射状の広がり部分を、該雌コネクタの該内部構造を通過するように軸方向に移動させるステップと、
を含む方法。
【請求項５】
第２終端を備えた第２スロットを有するレバーを用意するステップと、
前記雄コネクタを前記雌コネクタの前記第１開口に挿入する前に、該雄コネクタの前記第２端部を該第２終端内に挿入して該雄コネクタを保持するステップと、
をさらに含む、請求項４に記載の方法。
【請求項６】
釣糸を直線状に接続する方法であって、
第１釣糸部分に接続される第１端部と、第１開口を有し該第１端部の反対側に位置する第２端部と、長手方向軸と、放射状の広がりを有する内部構造とを備えた雌コネクタを用意するステップと、
該雌コネクタの第１開口に同軸挿入されるように構成されかつ該雌コネクタの内部構造の放射状の広がりより大きい放射状の広がり部分を有する突起を備えた第１端部と、該第１端部の反対側に位置し第２釣糸部分に接続される第２端部と、長手方向軸とを有する雄コネクタを用意するステップと、
第１終端を備えた第１のスロットを有するカードを用意するステップと、
該雄コネクタの該第２端部を該第１終端内に挿入して該雄コネクタを保持するステップと、
該雄コネクタを該雌コネクタの該第１開口内に挿入するステップと、
該雄コネクタの該突起の該放射状の広がり部分を、該雌コネクタの該内部構造を通過するように軸方向に移動させるステップと、
を含む方法。
【請求項７】
釣糸を直線状に接続するスプライスシステムであって、
第１釣糸部分に接続されかつテーパ状の外面を備える第１端部と、第１開口を有し該第１端部の反対側に位置する第２端部と、長手方向軸と、放射状の広がりを有する内部構造とを有し、該長手方向軸を中心に対称である雌コネクタと、
該雌コネクタの第１開口に同軸挿入されるように構成されかつ該雌コネクタの内部構造の放射状の広がりより大きい放射状の広がり部分を有する突起を備えた第１端部と、該第１端部の反対側に位置し第２釣糸部分に接続される第２端部と、長手方向軸とを有し、該長手方向軸を中心に対称である雄コネクタと、を備え、
該雌コネクタおよび雄コネクタのうちの少なくとも一方が弾力的であり、該突起が圧縮されまたは該内部構造が拡張することにより、該突起が該内部構造を通過するように軸方向に移動可能である、
スプライスシステム。
【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
釣糸（１２、１４）を直線状に接続するためのスプライスシステム（１０）において、
外面、互いに反対側の第１端部（４８）および第２端部（５０）並びに長手方向軸線（１５）を有する雌コネクタ（１８）であって、該外面に穴（３０）が配置され、該第１端部（４８）が第１釣糸部分（１２）に接続され、該第２端部（５０）が内部に同軸状の開口（２３）を有し、該雌コネクタ（１８）が、径方向部分を有する同軸状の内部構造（５２）を備える、雌コネクタ（１８）と、
互いに反対側の第１端部および第２端部並びに長手方向軸線（１５）を有する雄コネクタ（１６）であって、該第２端部が第２釣糸部分（１４）に接続され、該第１端部が前記雌コネクタ（１８）の前記開口（２３）に同軸状に挿入されるように構成され、該第２端部が、前記雌コネクタ（１８）の前記内部構造（５２）の前記径方向部分よりも大きい径方向部分を有する、雄コネクタ（１６）とを具備し、
前記雌コネクタ（１８）と前記雄コネクタ（１６）とのうちの少なくとも一方が弾力性を有し、前記雄コネクタ（１６）の前記第２端部が圧縮されるか、または前記雌コネクタ（１８）の前記内部構造（５２）が拡張されることにより、該雄コネクタ（１６）の該第２端部が該内部構造（５２）を通過して軸方向へ移動できるようになっていること、
を特徴とするスプライスシステム。
【請求項２】
複数の釣糸コネクタ（１８）が取外し可能に配置されるカード（７２）を具備する装置において、該釣糸コネクタ（１８）の各々が、互いに反対側の第１端部（４８）および第２端部（５０）と長手方向軸線（１５）とを有するとともに、該第１端部（４８）から該第２端部（５０）に延在する軸方向ボア（３８、５４）を有すること、を特徴とする装置。
【請求項３】
釣糸（１２、１４）を直線状に接続する方法において、
互いに反対側の第１端部（４８）および第２端部（５０）と長手方向軸線（１５）とを有する雌コネクタ（１８）であって、該第１端部（４８）が第１釣糸部分（１２）に接続され、該第２端部（５０）が内部に開口を有し、該雌コネクタ（１８）が、径方向部分を有する同軸状の内部構造（５２）を備える、雌コネクタを用意し、
互いに反対側の第１端部および第２端部と長手方向軸線（１５）とを有する雄コネクタ（１６）であって、該第２端部が第２釣糸部分（１４）に接続され、該第１端部が前記雌コネクタ（１８）の前記開口に同軸状に挿入されるように構成され、該第２端部が、前記雌コネクタ（１８）の前記内部構造（５２）の前記径方向部分よりも大きい径方向部分を有する、雄コネクタを用意し、
前記雄コネクタ（１６）を前記雌コネクタ（１８）の前記開口に挿入し、
前記雄コネクタ（１６）の前記第２端部の前記径方向部分を、前記雌コネクタ（１８）の前記内部構造（５２）を通過させて軸方向に移動させること、
を特徴とする方法。
【請求項４】
釣糸部分（１４）を交換する方法において、
穴（３０）が配置された外面を有する雌コネクタ（１８）に接続された第１釣糸部分（１２）を用意し、
前記雌コネクタ（１８）に接続される雄コネクタ（１６）に接続された第２釣糸部分（１４）を用意し、
前記雄コネクタ（１６）を前記開口（３０）を通して移動させ、それにより該雄コネクタ（１６）を前記雌コネクタ（１８）から分離し、
前記第２釣糸（１４）を切断するとともに、該第２釣糸（１４）と前記雄コネクタ（１６）とを廃棄し、
互いに反対側の第１端部および第２端部と長手方向軸線（１５）とを有する第２の雄コネクタ（１６）であって、該第２端部が第３釣糸部分（１４）に接続され、該第１端部が前記雌コネクタ（１８）の前記開口に同軸状に挿入されるように構成され、該第２の雄コネクタ（１６）の該第２端部が、前記雌コネクタ（１８）の内部構造（５２）の径方向部分よりも大きい径方向部分を有する、第２の雄コネクタを用意し、
前記第２の雄コネクタ（１６）を前記雌コネクタ（１８）の前記開口に挿入し、
前記第２の雄コネクタ（１６）の前記第２端部の前記径方向部分を、前記雌コネクタ（１８）の前記内部構造（５２）を通過させて軸方向に移動させること、
を特徴とする方法。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
以下の段階を含む、細胞から小型RNA分子を単離するための方法：
a)溶解産物を生じるように細胞を溶解溶液で溶解する段階；
b)約35％〜約70％のアルコール濃度まで、溶解産物へアルコール溶液を添加する段階；
c)溶解産物を固体支持体に適用する段階；
d)小型RNA分子を固体支持体から溶出する段階；および
e)小型RNA分子を用いるか、または特徴付ける段階。
【請求項２】
小型RNA分子がmiRNA、siRNA、snRNA、snoRNAおよび/またはtRNA分子を含む、請求項1記載の方法。
【請求項３】
小型RNA分子がmiRNA分子である、請求項2記載の方法。
【請求項４】
溶解溶液がカオトロピック剤または界面活性剤を含む、請求項1記載の方法。
【請求項５】
カオトロピック剤が少なくとも約2.0 Mの濃度でグアニジニウムを含む、請求項4記載の方法。
【請求項６】
界面活性剤が濃度約0.1％〜約2％でN-ラウロイルサルコシンを含む、請求項4記載の方法。
【請求項７】
溶解産物を固体支持体に適用する段階の前に有機溶媒を含む抽出溶液で溶解産物から小型RNA分子を抽出する段階をさらに含む、請求項1記載の方法。
【請求項８】
抽出溶液がフェノールおよびクロロホルムを含む、請求項7記載の方法。
【請求項９】
溶解産物に添加されるアルコール溶液の量が溶解産物を約50％〜約60％アルコールにする、請求項1記載の方法。
【請求項１０】
アルコール溶液が有機溶媒での抽出の前に溶解産物へ添加される、請求項9記載の方法。
【請求項１１】
溶解産物を固体支持体に適用した後に、固体支持体をグアニジニウムおよびアルコールを含む第一洗浄溶液で洗浄する段階をさらに含む、請求項1記載の方法。
【請求項１２】
第一洗浄溶液で洗浄した後、固体支持体をアルコールを含む第二洗浄溶液で洗浄する段階をさらに含む、請求項11記載の方法。
【請求項１３】
小型RNA分子が約60℃〜約100℃の温度で固体支持体から溶出される、請求項1記載の方法。
【請求項１４】
小型RNA分子が低イオン強度溶液で固体支持体から溶出される、請求項1記載の方法。
【請求項１５】
固体支持体が無機物支持体または重合体支持体を含む、請求項1記載の方法。
【請求項１６】
遠心分離またはガス圧力により溶解産物を固体支持体に通過させる段階をさらに含む、請求項1記載の方法。
【請求項１７】
溶出された小型RNA分子がフィルター上に捕獲され、その後、収集される、請求項1記載の方法。
【請求項１８】
小型RNA分子が一本鎖である、請求項1記載の方法。
【請求項１９】
小型RNA分子が二本鎖である、請求項1記載の方法。
【請求項２０】
小型RNA分子が多くとも70またはそれ未満のヌクレオチドを有する、請求項1記載の方法。
【請求項２１】
小型RNA分子が多くとも30またはそれ未満のヌクレオチドを有する、請求項20記載の方法。
【請求項２２】
以下の段階を含む、試料からmiRNAまたはsiRNAを単離するための方法：
a)miRNAまたはsiRNAを有する試料を得る段階；
b)約35％〜約70％のアルコール濃度まで、試料へアルコール溶液を添加する段階；
c)試料へ抽出溶液を添加する段階；
d)試料を無機物または重合体支持体に適用する段階；および
e)溶出したsiRNAまたはmiRNAを形成するため、無機物または重合体支持体からイオン溶液でsiRNAまたはmiRNAを溶出する段階。
【請求項２３】
溶出された試料が、miRNAまたはsiRNAについて質量で少なくとも約10倍、濃縮される、請求項22記載の方法。
【請求項２４】
以下の段階を含む、試料からmiRNA分子を単離するための方法：
a)約35％〜約70％のアルコール濃度まで、試料へアルコール溶液を添加する段階；
b)試料を無機物または重合体支持体に適用する段階；
c)支持体からイオン溶液でmiRNA分子を溶出する段階；および
d)miRNA分子を用いるか、または特徴付ける段階。
【請求項２５】
以下の段階を含む、試料から小型RNA分子を単離するための方法：
a)試料中の細胞を、グアニジニウムを含む溶解溶液で溶解する段階であって、少なくとも約1 M グアニジニウムの濃度をもつ溶解産物が産生される、段階；
b)溶解産物からフェノールを含む抽出溶液で小型RNA分子を抽出する段階；
c)溶解産物/アルコール混合物を形成するために、溶解産物へアルコール溶液を添加する段階であって、混合物におけるアルコールの濃度が約35％〜約70％の間である、段階；
d)溶解産物/アルコール混合物を無機物または重合体支持体に適用する段階；
e)無機物または重合体支持体からイオン溶液で小型RNA分子を溶出する段階；
f)小型RNA分子を捕獲する段階；および
g)単離された小型RNA分子を用いる段階。
【請求項２６】
以下の段階を含む、試料から小型RNA分子を単離するための方法：
a)溶解産物を産生するように、溶解溶液中で細胞を溶解する段階；
b)溶解産物からフェノールを含む抽出溶液で小型RNA分子を抽出する段階；
c)約20％〜約35％のアルコールの溶解産物/アルコール混合物を形成するために溶解産物へアルコール溶液を添加する段階；
d)溶解産物/アルコール混合物を第一固体支持体に適用する段階；
e)フロースルー溶解産物/アルコール混合物を収集する段階；
f)段階e)のフロースルー溶解産物/アルコール混合物へアルコール溶液を添加し、約35％〜約70％アルコール濃度を有する溶解産物/アルコール混合物を形成する段階；
g)段階f)の溶解産物/アルコール混合物を第二固体支持体に適用する段階；および
h)第二固体支持体からイオン溶液で小型RNA分子を溶出する段階。
【請求項２７】
試料を無機物または重合体支持体に適用した後、無機物または重合体支持体を、グアニジニウムおよびアルコールを含む第一洗浄溶液で洗浄する段階をさらに含む、請求項24記載の方法。
【請求項２８】
無機物または重合体支持体を、アルコールを含む第二洗浄溶液で洗浄する段階をさらに含む、請求項27記載の方法。
【請求項２９】
以下の段階を含む、試料から小型RNA分子を単離するための方法：
a)約35％〜約70％のエタノール濃度をもたらすまで、試料へエタノール溶液を添加する段階；
b)試料を無機物支持体に適用する段階；
c)無機物支持体を、グアニジニウムおよび70％エタノールを含む第一洗浄溶液で洗浄する段階；
d)無機物支持体を、80％エタノールを含む第二洗浄溶液で洗浄する段階；
e)支持体から小型RNA分子を溶出する段階；および
f)小型RNA分子を用いるか、または特徴付ける段階。
【請求項３０】
以下のものを含む、小型RNA分子を単離するためのキット：
a)酸性フェノール-クロロホルム；
b)溶解/結合緩衝液；
c)ホモジネート添加物；
d)洗浄溶液；
e)溶出溶液；および
f)フィルターカートリッジ
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
それぞれのステップが異なった特定作業用スラリーを使用することができる多重ステップ研磨処理中に研磨パッドをコンディショニングする方法であって、
研摩コンディショニングディスクの複数の開口を通して前記研磨パッドの表面部分にコンディショニング剤を塗布するステップ；
真空を適用し、前記コンディショニング剤、パッド屑及びすべての残留スラリーを前記研磨パッドから前記開口を通して引き出すことにより、前記コンディショニング剤、パッド屑及びすべての残留スラリーを除去するステップ；
前記研摩コンディショニングディスクの前記複数の開口を通して前記研磨パッドの前記表面部分に、前記スラリーの化学的性質を特定的に中和するように選択された中和剤を塗布するステップ；および
真空を適用し、前記中和剤及び残留屑を前記研磨パッドから前記開口を通して引き出すことによって前記中和剤及びすべての残留屑を除去するために、前記研磨パッドの前記表面部分を流体及び／又はガスでフラッシュするステップ
を含む、研磨パッドをコンディショニングする方法。
【請求項２】
前記コンディショニング処理中、前記コンディショニングディスクは回転し、前記コンディショニングディスクは、前記コンディショニングディスクの表面の上方且つそれに垂直に配置された複数のインペラブレードをさらに有し、該インペラブレードも回転し、且つ前記除去されたコンディショニング剤、パッド屑、中和剤及びスラリーを真空出口ポートの方へ掃き出すステップを実行する、請求項１に記載の方法。
【請求項３】
前記コンディショニング剤の塗布中、前記研磨パッドに振動運動を与え、屑をさらに解きほぐして除去するステップをさらに含む、請求項１に記載の方法。
【請求項４】
ＣＭＰ処理に使用されるパッドをコンディショニングする方法であって、
研摩コンディショニングディスクの複数の開口を通して前記研磨パッドの表面部分にコンディショニング剤を塗布するステップ；および、
真空を適用し、前記コンディショニング剤、パッド屑及びすべての残留スラリーを前記研磨パッドから前記コンディショニングディスク開口を通して引き出すことによって前記コンディショニング剤、パッド屑及びすべての残留スラリーを除去するステップ
を含むＣＭＰ処理に使用されるパッドをコンディショニングする方法。
【請求項５】
前記コンディショニング処理中、前記コンディショニングディスクは回転し、前記コンディショニングディスクは、前記コンディショニングディスクの上面に垂直に配置される複数のインペラブレードをさらに有し、該インペラブレードも回転し、除去されたコンディショニング剤、パッド屑及び残留スラリーを真空出口ポートの方に掃き出すステップを実行する、請求項４に記載のＣＭＰ処理に使用されるパッドをコンディショニングする方法。
【請求項６】
前記除去されたスラリーは、前記研磨処理での再利用のために濾過及び処理される、請求項５に記載のＣＭＰ処理に使用されるパッドをコンディショニングする方法。
【請求項７】
前記除去されたコンディショニング剤は、前記コンディショニング処理での再利用のために濾過及び処理される、請求項５に記載のＣＭＰ処理に使用されるパッドをコンディショニングする方法。
【請求項８】
ＣＭＰ処理に使用される研磨パッドをコンディショニングする装置であって、
複数の貫通開口を有する研摩コンディショニングディスク；
前記コンディショニングディスクに形成された前記複数の開口を通って前記研磨パッドの前記表面の一部へ進む流体及び／又はガス状コンディショニング剤を導入するための、前記研摩コンディショニングディスクに結合された入口ポート；および
前記研摩コンディショニングディスクを包囲し、前記複数の開口のための出口チャネルを提供するように配置された外側真空室であって、該外側真空室は外部真空源に接続され、それにより、前記外部真空源の作動時に、前記コンディショニング処理からの排出物を前記コンディショニングディスク開口を通して引き出し、該外側真空室を通して該コンディショニング装置から出す、外側真空室
を備えるＣＭＰ処理に使用される研磨パッドをコンディショニングする装置。
【請求項９】
前記研摩コンディショニングディスクを支持するための磁気ディスクをさらに備え、該磁気ディスクは、前記研摩コンディショニングディスクに貫設される前記開口に整合するように配置される同数の開口を有し、それにより、流入する前記コンディショニング剤及び流出する排出物の両方が、前記研摩コンディショニングディスク及び前記磁気支持ディスクの整合開口を通るようにした、請求項８に記載のＣＭＰ処理に使用される研磨パッドをコンディショニングする装置。
【請求項１０】
前記研摩コンディショニングディスクに取り付けられるインペラ部品をさらに備え、該インペラ部品は、
前記流体及び／又はガス状コンディショニング剤を前記コンディショニングディスクの方へ導くための、前記入口ポートに接続された開口部を備えた上面；及び、
前記インペラ部品の中心から放射状に外へ向かい、且つ前記インペラ部品上面と前記コンディショニングディスクとの間で垂直に伸び、前記流出する排出物を前記外側真空室の方へ導くための複数のインペラブレード
を有する、請求項８に記載のＣＭＰ処理に使用される研磨パッドをコンディショニングする装置。
【手続補正書】
【提出日】平成19年7月3日(2007.7.3)
【手続補正１】
【補正対象書類名】明細書
【補正対象項目名】０００２
【補正方法】変更
【補正の内容】
【０００２】
本発明は、マシーンの、特に請求項１乃至１５の上位概念に記載のプラスティック射出成形機の相互コントロールのための方法及び装置に関するものである。即ち、本発明は、第１の視点において、オペレータを誘導する形でマシーンの作業工程のために必要な稼動パラメータが操作フィールドを備えた入力ユニットによってこの稼動パラメータを記憶するデータ処理ユニットへ入力され、そして引き続いて、記憶された稼動パラメータに従って一のあるいは複数の作業工程が実行され、その際データ処理ユニットへマシーンの作業工程の基本則に関するデータセットが入力され、そしてデータセットの投入のもとでマシーン設備及び環境（周辺機器）に基づいて可能な入力可能性への作業工程の既存する部分（複数）へ適合して割込みないし投入可能な作業工程の更なる部分（複数）の選択された選択肢のセット（Ａｕｓｗａｈｌ）が結果として表面（表示画面）上でビジュアル的にオペレータの使用に呈され、表面（表示画面）上にある入力ユニットがマニュアルな入力のために及び／又はマニプレータを介した入力のために、操作フィールドでの工程の更なる（複数）部分に相応する選択された選択肢のセットを表面（表示画面）上でスタティックに配列されたナビゲーション画面上でのナビゲーションのためにオペレータの使用に供する、プラスティック射出成形機の相互コントロールのための方法に関する。
さらに、第２の視点において、データ処理ユニット、表面（表示画面）上でマニュアルな入力のために及び／又はマニプレータを介した入力のために配列されたフィールドを有し、該フィールドによってオペレータを誘導する形でマシーンの作業工程のために必要な稼動パラメータが、記憶された稼動パラメータに従って一のあるいは複数の作業工程を引き続いて実行するために、この稼動パラメータを記憶するデータ処理ユニットへ入力可能であり、該フィールドは表面（表示画面）上でスタティックに配列されたナビゲーション画面上でのナビゲーションのための操作フィールドを有する、入力ユニット、マシーンの作業工程の基本則に関する、データ処理ユニットへ入力されるデータセット、および作業工程の現存部分へ適合して割込みないし投入可能な作業工程の更なる部分（複数）の、マシーン設備及び環境（周辺機器）に基づいて可能な入力可能性への、データセットの投入のもとで結果としてオペレータに表面（表示画面）上でビジュアル的に提供される選択された選択肢のセット（Ａｕｓｗａｈｌ）、を備えるプラスティック射出成形機の相互コントロールのための装置に関する。
【手続補正２】
【補正対象書類名】明細書
【補正対象項目名】０００８
【補正方法】変更
【補正の内容】
【０００８】
上述の課題は特許請求項１及び１５の特徴部に記載された方法及び装置、すなわち、操作フィールドまたは入力フィールドの少なくとも３行又は少なくとも３列を包括し複数行の又は複数列の、行から行へ又は列から列へヒエラルヒー的な一のナビゲーション画面が複数の相互に配列されたナビゲーション層を有して表面上に表示されること、を特徴とする方法及び操作フィールドまたは入力フィールドの少なくとも三行又は少なくとも三列を包み、行から行へ又は列から列へヒエラルヒー的な複数の相互に配列されたナビゲーション層を備えること、を特徴とする装置によって解決される。
なお、特許請求の範囲に付記した図面参照符号は、専ら理解を助けるためのものであって、図示の態様に限定することを意図するものではない。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
脊椎円板の輪の欠損部を修復するためのシステムにおいて、
前記輪の欠損部に少なくとも隣接させて配置可能な少なくとも１つのブロック部材と、
前記少なくとも１つのブロック部材を前記欠損部に隣接する組織に固定するために前記少なくとも１つのブロック部材に係合可能な少なくとも１つのアンカーと、
前記欠損部に配置可能な遠位部を含んでいるガイド器具とを備え、
前記ガイド器具が、前記少なくとも１つのアンカーを受け入れるために前記組織に穴を形成するための器具を案内するガイド部材であって、前記穴と前記欠損部の間に広がっている前記組織に陥凹部を形成するための切削器具を案内するガイド部材を含んでいる、システム。
【請求項２】
前記ブロック部材は、自家移植片、同種移植片、異種移植片、硬組織、結合組織、脱塩骨基質、ポリラクチド、ポリグリコライド、チロシン由来ポリカーボネート、ポリ無水物、ポリオルソエステル、ポリホスファゼン、リン酸カルシウム、ヒドロキシアパタイト、生体活性ガラス、コラーゲン、アルブミン、フィブリノゲン、及びそれらの組み合わせ、から成る群より選択された分解吸収可能材料から作られている、請求項１に記載のシステム。
【請求項３】
前記ブロック部材は、ポリエチレン、ポリエステル、ポリビニルアルコール、ポリアクリルロニトリル、ポリアミド、ポリテトラフルオロエチレン、ポリパラフェニレン  テレフタルアミド、セルロース、及びそれらの組み合わせ、から成る群より選択された非分解吸収可能材料から作られている、請求項１に記載のシステム。
【請求項４】
前記ブロック部材と前記少なくとも１つのアンカーは、それぞれ分解吸収可能材料を備えている、請求項１に記載のシステム。
【請求項５】
前記ブロック部材と前記少なくとも１つのアンカーは、それぞれ非分解吸収可能材料を備えている、請求項１に記載のシステム。
【請求項６】
前記欠損部は前記輪に沿う幅を有しており、前記ブロック部材は、前記欠損部に配置されたとき、前記欠損部の幅の少なくとも約１０％に亘って伸張している、請求項１に記載のシステム。
【請求項７】
前記ブロック部材は、織布管材、縫合糸、係留綱、コード、平坦部材、帯、ワイヤ、ケーブル、メッシュシート、ひも、栓、及びスカフォード、から成る群より選択された１つ又はそれ以上の構成要素を含んでいる本体部を備えている、請求項１に記載のシステム。
【請求項８】
移植片を受け入れるために骨表面の前処理を案内するための器具において、
長手方向軸に沿って伸張しているガイド部材を備え、
前記ガイド部材が、前記骨表面に穴を形成するために第１器具を案内するための、前記長手方向軸に沿って貫通形成された通路を含んでおり、前記骨表面に陥凹部を形成するために切削器具を案内するための、前記通路に沿って且つ前記通路と連通して伸張しているスロットを更に含んでいる、器具。
【請求項９】
前記ガイド部材の所定の側に沿って伸張している位置決め部材であって、前記ガイド部材の遠位方向に伸張している位置決めフランジを含んでおり、前記位置決めフランジは、前記骨表面に前記穴と前記陥凹部を形成し易くするため骨構造に沿って配置可能になっている、位置決め部材を更に備えている、請求項８に記載の器具。
【請求項１０】
前記位置決め部材は、前記ガイド部材から伸張している本体部を含んでおり、前記位置決めフランジは、前記ガイド部材から間隔を空けて配置され、前記本体部から遠位方向に伸張している、請求項９に記載の器具。
【請求項１１】
輪欠損部を修復するための装置において、
第１端と第２端の間に長手方向軸に沿って伸張するブロック部材と、
前記第１及び第２端の一方に設けられた取付部であって、前記ブロック部材の前記長手方向軸に対して横方向に伸張する細長い通路を含んでいる取付部とを備えている装置。
【請求項１２】
前記第１及び第２端の他方に設けられた第２の取付部であって、前記ブロック部材の前記長手方向軸に対して横方向に伸張する細長い通路を含んでいる第２取付部を更に備えている、請求項１１に記載の装置。
【請求項１３】
前記ブロック部材を組織に固定するために、前記通路を通して配置可能なアンカーを更に備えている、請求項１１に記載の装置。
【請求項１４】
前記アンカーは、近位端と遠位端の間に伸張する長さを有する本体部を含んでおり、前記本体部は、前記近位端と遠位端の間の幅が前記細長い通路にぴったりと嵌って受け入れられる寸法に作られている、請求項１３に記載の装置。
【請求項１５】
前記アンカーの前記本体部は、前記幅に沿って第１面と第２面を含んでおり、前記第１面と第２面は骨係合機構をその上に含んでいる、請求項１４に記載の装置。
【請求項１６】
前記骨係合機構は、前記第１面と第２面それぞれに沿う複数の山部と谷部を含んでいる、請求項１５に記載の装置。
【請求項１７】
輪欠損部を修復するための装置において、
第１端と第２端の間に長手方向軸に沿って伸張し、前記長手方向軸に対して横方向の幅を含んでいるブロック部材と、
前記ブロック部材を前記輪欠損部に隣接する組織に係合させるために、前記ブロック部材を通して配置可能な少なくとも１つのアンカーであって所定の幅を有する本体部を備えている少なくとも１つのアンカーとを備え、
前記ブロック部材との係合位置にあるときには、前記ブロック部材の前記幅は前記ブロック部材の幅の少なくとも２倍である、装置。
【手続補正書】
【提出日】平成19年4月16日(2007.4.16)
【手続補正１】
【補正対象書類名】特許請求の範囲
【補正対象項目名】請求項２２
【補正方法】変更
【補正の内容】
【請求項２２】
前記成形するステップは、各第一シムを前記射出成形型内に締結する前に、前記第一シムを定めるために、所定数の金属シートを共に結びつけるステップをさらに含む、請求項２０に記載の磁気共鳴画像スキャナを製造する方法。
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
幅と、物品の幅を超える長さとを有する弾性複合物品であって、
前記物品の長さと位置合わせされたダウン−ウェブ方向と、前記ダウン−ウェブ方向を横切るクロス−ウェブ方向とを含む第１の不織繊維カバーウェブと、
前記第１のカバーウェブに形成された複数の別個の明確な弱化領域の形である引裂パターンと、
前記第１のカバーウェブに貼付された第２のカバーウェブと、
前記第１のカバーウェブと前記第２のカバーウェブの間に配置され、前記物品の長さに沿って位置合わせされた複数の弾性フィラメントと、
を含み、前記複数の弾性フィラメントの各弾性フィラメントが、前記物品の全長にわたって連続的に延在する弾性複合物品。
【請求項２】
幅と、物品の幅を超える長さとを有する弾性複合物品であって、
前記物品の長さと位置合わせされたダウン−ウェブ方向と、前記ダウン−ウェブ方向を横切るクロス−ウェブ方向とを含む第１の不織繊維カバーウェブと、
前記第１のカバーウェブに形成された複数の別個の明確な弱化領域の形であり、前記第１のカバーウェブの前記ダウン−ウェブ方向に沿って分配された弱化領域の複数の列を含む引裂パターンであって、前記弱化領域の各列が、前記第１のカバーウェブを横切るクロス−ウェブ方向に延在する引裂パターンと、
前記第１のカバーウェブに貼付された第２の不織繊維カバーウェブであって、前記第２のカバーウェブが、複数の別個の明確な弱化領域を含む引裂パターンを全く含まないものである、第２の不織繊維カバーウェブと、
前記物品の長さに沿った方向に延在し、前記第１のカバーウェブと前記第２のカバーウェブの間に配置された複数の弾性フィラメントであって、前記複数の弾性フィラメントの各弾性フィラメントが、前記物品の全長にわたって連続的に延在する複数の弾性フィラメントと、
前記第１のカバーウェブおよび前記第２のカバーウェブに含浸するバインダと、
を含む、弾性複合物品。
【請求項３】
幅と、物品の幅を超える長さとを有する弾性複合物品の製造方法であって、
前記物品の長さと位置合わせされたダウン−ウェブ方向と、前記ダウン−ウェブ方向を横切るクロス−ウェブ方向とを含み、複数の別個の明確な弱化領域の形である引裂パターンを前記第１のカバーウェブに含む第１の不織繊維カバーウェブを提供することと、
第２のカバーウェブを提供することと、
前記複数の弱化領域を前記第１のカバーウェブに提供した後に、前記第１のカバーウェブと前記第２のカバーウェブの間に複数の弾性フィラメントを配置すること、そこでは前記複数の弾性フィラメントの各弾性フィラメントが前記物品の長さに沿った方向に連続的に延在する、及び
前記第１のカバーウェブに引裂パターンを形成し、前記第１のカバーウェブと前記第２のカバーウェブの間に前記複数の弾性フィラメントを配置した後に、前記第１のカバーウェブを前記第２のカバーウェブに貼付することと、
を含む方法。
【手続補正書】
【提出日】平成19年7月10日(2007.7.10)
【手続補正１】
【補正対象書類名】特許請求の範囲
【補正対象項目名】請求項１７
【補正方法】変更
【補正の内容】
【請求項１７】
弁開放電流が、強磁性磁気回路の電流に依存した影響を考慮する修正項によって修正されることを特徴とする、請求項１から１０までのうちのいずれか１つに又は請求項１４から１６までのうちのいずれか１つに記載の方法。
【手続補正２】
【補正対象書類名】特許請求の範囲
【補正対象項目名】請求項１８
【補正方法】変更
【補正の内容】
【請求項１８】
先ず弁保持電流が計算されかつこれから他の修正項又はオフセット手段によって、弁開放電流が求められることを特徴とする、請求項１から１０までのうちのいずれか１つに又は請求項１４から１７までのうちのいずれか１つに記載の方法。
【手続補正３】
【補正対象書類名】特許請求の範囲
【補正対象項目名】請求項１９
【補正方法】変更
【補正の内容】
【請求項１９】
アクチュエータが、パルス幅変調された電流手段（ＰＷＭ）によって制御され、その際コイル抵抗はＰＷＭ制御部の時比率を介して決定され、かつコイル抵抗は、アクチュエータに固有のパラメータＫＧind の計算の際に考慮されることを特徴とする、請求項１から１０までのうちのいずれか１つに記載の又は請求項１４から１８までのうちのいずれか１つに記載の方法。
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
衝突時に乗り物の乗員の下半身が移動せしめられることを防止するエアバッグにおいて、剛性のある材料から作製されたフロントパネルと、剛性のある材料から作製され且つ前記フロントパネルに取り付けられるバックパネルと、該バックパネルに連通し且つインフレータのディフューザ部分にしっかりと取付可能なアダプタユニットとを具備するエアバッグ。
【請求項２】
衝突時に乗り物の乗員が移動せしめられることを防止するエアバッグにおいて、剛性のある材料から作製されたフロントパネルと、剛性のある材料から作製され且つ前記フロントパネルに取り付けられるバックパネルと、該バックパネルに連通するアダプタユニットと、該アダプタユニットに取り付けられるディフューザ部分を有するインフレータとを具備するエアバッグ。
【請求項３】
衝突時に乗り物の乗員が移動せしめられることを防止するエアバッグにおいて、剛性のある材料から作製され且つ第１の側と第２の側とを備えたフロントパネルと、該フロントパネルの第１の側に取り付けられる装飾トリムパネルと、剛性のある材料から作製され且つ前記フロントパネルの第２の側に取り付けられるバックパネルと、該バックパネルに連通するアダプタユニットと、該アダプタユニットに取り付けられるディフューザ部分を有するインフレータとを具備するエアバッグ。
【請求項４】
前記アダプタユニットが前記バックパネルと一体となっている請求項１から３のいずれか１つに記載のエアバッグ。
【請求項５】
前記アダプタユニットが前記バックパネルに形成された押型成形部分を有し、該押型成形部分が前記インフレータを受容するように構成された第１の端部分を有する請求項４に記載のエアバッグ。
【請求項６】
前記第１の端部分が第１の直径を有する開口を有し、該第１の直径が前記インフレータの直径よりも大きい請求項５に記載のエアバッグ。
【請求項７】
前記インフレータと前記第１の端部分との間に配置されたシール楔をさらに具備する請求項６に記載のエアバッグ。
【請求項８】
前記第１の端部分が前記インフレータの直径よりも小さい或いは該直径に等しい第１の直径を有する開口を有し、前記アダプタユニットが圧入によって前記インフレータのディフューザ部分にしっかりと取り付けられている請求項５に記載のエアバッグ。
【請求項９】
前記インフレータのディフューザ部分に取り付けられるファスナをさらに具備し、前記押型成形部分が前記ファスナを受容するように構成された第２の端部分を有する請求項５に記載のエアバッグ。
【請求項１０】
前記アダプタユニットが前記バックパネルに形成された開口を有する請求項４に記載のエアバッグ。
【請求項１１】
前記バックパネルが前記開口を包囲するリップ部分を有し、該リップ部分が前記インフレータからの流体放出中に該インフレータのディフューザ部分が前記アダプタユニットから分離されてしまうことを防止するように構成されている請求項１０に記載のエアバッグ。
【請求項１２】
前記アダプタユニットが前記バックパネルとは別体である請求項１から３のいずれか１つに記載のエアバッグ。
【請求項１３】
前記アダプタユニットが押型成形部分を設けられたハウジングを有し、前記押型成形部分が前記インフレータを受容するように構成された第１の端部分を有する請求項１２に記載のエアバッグ。
【請求項１４】
前記第１の端部分が第１の直径を有する開口を有し、該第１の直径が前記インフレータの直径よりも大きい請求項１３に記載のエアバッグ。
【請求項１５】
前記インフレータと前記第１の端部分との間に配置されたシール楔をさらに具備する請求項１４に記載のエアバッグ。
【請求項１６】
前記第１の端部分が第１の直径を有する開口を有し、該第１の直径が前記インフレータの直径に略等しい請求項１３に記載のエアバッグ。
【請求項１７】
前記インフレータのディフューザ部分に取り付けられるファスナをさらに具備し、前記押型成形部分が前記ファスナを受容するように構成された第２の端部分を有する請求項１３に記載のエアバッグ。
【請求項１８】
前記剛性のある材料が金属シートである請求項１から３のいずれか１つに記載のエアバッグ。
【請求項１９】
前記剛性のある材料がプラスチック材料である請求項１から３のいずれか１つに記載のエアバッグ。
【誤訳訂正書】
【提出日】平成19年5月10日(2007.5.10)
【誤訳訂正１】
【訂正対象書類名】特許請求の範囲
【訂正対象項目名】全文
【訂正方法】変更
【訂正の内容】
【特許請求の範囲】
【請求項１】
インサート本体と砥石チップとを有する工具インサートであって、前記砥石チップと前記インサート本体は互いに結合可能な幾何学的特徴を含み、前記砥石チップは、この砥石チップ及び／又は前記インサート本体上の前記結合可能な幾何学的特徴の変形により生じる機械的応力により、主に前記インサート本体に保持されるようになっている、前記工具インサート。
【請求項２】
前記請求項１の工具インサートにおいて、前記変形は部分的に元に戻らないようなものである。
【請求項３】
前記請求項１の工具インサートにおいて、前記幾何学的特徴は相互ロックするようになっているものである。
【請求項４】
前記請求項１の工具インサートにおいて、少なくとも１つの追加の砥石チップが前記インサート本体に保持されており、これにより複合工具インサートを形成するものである。
【請求項５】
請求項１の工具インサートにおいて、前記砥石チップは、窒化ケイ素、炭化ケイ素、炭化ホウ素、炭化チタン、溶融酸化アルミニウム（アルミナ）、セラミック酸化アルミニウム、熱処理酸化アルミニウム、アルミナジルコニア、酸化鉄、炭化タンタル、酸化セリウム、ガーネット、超硬合金、人造及び天然ダイヤモンド、酸化ジルコニウム、立方晶窒化ホウ素、それらのラミネート、混合物、及びそれらの複合材料から成る群から選択される１つの材料を有するものである。
【請求項６】
請求項１の工具インサートにおいて、前記インサート本体は、金属、鋼、合金、熱可塑性高分子、熱硬化性樹脂、セラミックス、超硬合金、サーメット、及びそれらの混合物から成る群から選択される１つの材料である。
【請求項７】
請求項１の工具インサートにおいて、この工具インサートは、３００℃以上の温度で更に熱処理されるものである。
【請求項８】
請求項１の工具インサートにおいて、前記工具インサートは、窒化物、炭化物、炭窒化物、酸化物、ホウ化物、又は窒素（Ｂ）、チタン（Ｔｉ）、アルミニウム（Ａｌ）、ケイ素（Ｓｉ）、ガリウム（Ｇａ）、耐火硬質金属、遷移金属、及び希土類金属から選択される元素の酸化窒化物、若しくはそれらの合成物及び化合物から成る群から選択される少なくとも１つのものでコーティングされるものである。
【請求項９】
請求項１の工具インサートにおいて、前記工具インサートは、前記インサート本体に前記砥石チップを保持する保持力を強化する少なくとも１つの追加の手段を有するものである。
【請求項１０】
請求項９の工具インサートにおいて、前記少なくとも１つの追加の手段は、スポット溶接、薄金属膜、箔、粘着箔、楔、及びそれらの組み合わせから成る群から選択されるものである。
【請求項１１】
切削工具インサートを形成する方法であって、
それぞれが互いに結合可能な幾何学的特徴を有する砥石チップとインサート本体とを提供する工程と、
それぞれの前記互いに結合可能な幾何学的特徴を介して、それら互いに結合可能な幾何学的特徴の少なくとも１つを変形させることで、前記砥石チップを前記インサート本体に接合する工程であって、前記変形は前記砥石チップを前記インサート本体の中に保持するのに十分な機械的応力を提供するものである、前記接合する工程と
を有する方法。
【請求項１２】
請求項１１の方法において、前記砥石チップと前記インサート本体の前記接合は、前記互いに結合可能な幾何学的特徴のプレス嵌め（圧入）を更に有するものである。
【請求項１３】
請求項１１の方法において、前記砥石チップと前記インサート本体の前記接合は、前記互いに結合可能な幾何学的特徴の焼嵌めを更に有するものである。
【請求項１４】
請求項１１の方法において、前記砥石チップと前記インサート本体の前記接合は、前記インサート本体を前記砥石チップの周囲に造形、成形、鍛造、鋳造する、若しくはそれらの組み合わせのうち少なくとも１つのものにより生じるものである。
【請求項１５】
請求項１１の方法において、前記互いに結合可能な幾何学的特徴は、締まり嵌めを作成する寸法を有するものである。
【請求項１６】
請求項１１の方法において、前記互いに結合可能な幾何学的特徴は、相互ロックようになっているものである。
【請求項１７】
請求項１１の方法において、前記インサート本体に互いに結合可能な幾何学的特徴を有する少なくとも１つの追加砥石チップが提供され、それにより複合工具インサートを形成するものである。
【請求項１８】
請求項１１の方法において、前記砥石チップは、窒化ケイ素、炭化ケイ素、炭化ホウ素、炭化チタン、溶融酸化アルミニウム（アルミナ）、セラミック酸化アルミニウム、熱処理酸化アルミニウム、アルミナジルコニア、酸化鉄、炭化タンタル、酸化セリウム、ガーネット、超硬合金（例えば、ＷＣ−Ｃｏ）、人造及び天然ダイヤモンド、酸化ジルコニウム、立方晶窒化ホウ素、それらのラミネート、混合物、及びそれらの複合材料から成る群から選択される１つの材料を有するものである。
【請求項１９】
請求項１１の方法において、前記インサート本体は、金属、鋼、合金、熱可塑性高分子、熱硬化性樹脂、セラミックス、超硬合金、サーメット、及びそれらの混合物から成る群から選択される１つの材料を有するものである。
【請求項２０】
請求項１１の方法であって、この方法は、更に、
少なくとも３００℃の温度で前記工具インサートを熱処理する工程を有するものである。
【請求項２１】
請求項１１の方法であって、この方法は、更に、
窒化物、炭化物、炭窒化物、酸化物、ホウ化物、又はＢ、Ｔｉ、Ａｌ、Ｓｉ、Ｇａ、耐火硬質金属、遷移金属、及び希土類金属から選択される元素の酸化窒化物、若しくはそれらの合成物及び化合物のうち少なくとも１つのもので前記工具インサートをコーティングする工程を有するものである。
【請求項２２】
請求項１１の方法であって、この方法は、更に、
前記インサート本体に前記砥石チップを保持するための保持力を改善する少なくとも１つの追加の手段を提供する工程を有するものである。
【請求項２３】
請求項２２の方法において、前記少なくとも１つの追加の手段は、スポット溶接、薄金属膜、箔、粘着箔、楔、及びそれらの組み合わせから成る群から選択されるものである。
【請求項２４】
請求項２１の方法において、前記コーティングは、物理気相蒸着法、化学気相蒸着法、エアースプレーを使った吹き付け処理、ローラーを用いた塗装処理、熱溶射処理（ｔｈｅｒｍａｌ  ｓｐｒａｙ  ｐｒｏｃｅｓｓ、ｔｈｅｒｍａｌ  ｉｎｊｅｃｔｉｏｎ  ｐｒｏｃｅｓｓ）、及びそれらの組み合わせから成る群から選択された技術により形成されるものである。
【手続補正書】
【提出日】平成19年7月28日(2007.7.28)
【手続補正１】
【補正対象書類名】特許請求の範囲
【補正対象項目名】全文
【補正方法】変更
【補正の内容】
【特許請求の範囲】
【請求項１】
インパクトレンチに用いるための金床であって、
円形本体と、
前記円形本体の端部に形成された、４つの平らな側面を定義する四角ヘッドと、
前記四角ヘッドと前記円形本体との間に形成された凹状ラジアス部と、
前記円形本体の円周に亘って形成され、前記四角ヘッドの側面に向かって傾斜しているテーパーランプ部と
を有し
前記凹状ラジアス部は、前記４つの平らな側面の全体から放射状に内部に向かって、且つ前記テーパーランプ部の円周に亘って形成されているものである、
金床。
【請求項２】
請求項１記載の金床において、前記四角ヘッドと前記円形本体とによって長手方向の軸が定義され、前記四角ヘッドは、ロールピンを受け取るように構成されたロールピン穴を有し、このロールピン穴は前記円形本体の前記長手方向の軸に平行に、前記四角ヘッド内部に延長しているものである。
【請求項３】
請求項２記載の金床において、前記四角ヘッドは、前記ロールピン穴を囲む凹状部をさらに有するものである。
【請求項４】
請求項１記載の金床において、前記ラジアス部での前記金床の横断面積は、前記四角ヘッドでの前記金床の横断面積より小さいものである。
【請求項５】
インパクトレンチであって、
ハウジングと、
前記ハウジング内に搭載されたモーターと、
前記モーターにより駆動される金床であって、この金床は、円形本体と、この円形本体の端部に形成された、４つの平らな側面を定義する四角ヘッドとを有し、前記四角ヘッドと前記円形本体との間に凹状ラジアス部が形成されているものである、前記金床と
を有し、
前記凹状ラジアス部は、前記４つの平らな側面の全体から放射状に内部に向かって、且つ前記テーパーランプ部の円周に亘って形成されているものである、
インパクトレンチ。
【請求項６】
請求項５のインパクトレンチにおいて、前記四角ヘッドと前記円形本体とによって長手方向の軸が定義され、前記四角ヘッドは、ロールピンを受け取るように構成されたロールピン穴を有し、このロールピン穴は前記円形本体の前記長手方向の軸に平行に、前記四角ヘッド内部に延長しているものである。
【請求項７】
請求項６のインパクトレンチにおいて、前記四角ヘッドは、前記ロールピン穴を囲む凹状部をさらに有するものである。
【請求項８】
請求項５のインパクトレンチにおいて、前記ラジアス部での前記金床の横断面積は、前記四角ヘッドでの前記金床の横断面積より小さいものである。
【手続補正２】
【補正対象書類名】明細書
【補正対象項目名】０００７
【補正方法】変更
【補正の内容】
【０００７】
従って、本技術分野では、前記応力集中部を除去し、前記金床の寿命を延ばし、一方で、同時にその製造に関連する費用を低減する、改善された金床の設計を提供する必要性が存在している。
この出願の発明に関連する先行技術文献情報としては、以下のものがある（国際出願日以降国際段階で引用された文献及び他国に国内移行した際に引用された文献を含む）。
【特許文献１】米国特許第２，９５４，９９４号明細書
【特許文献２】米国特許第３，１１９，４５６号明細書
【特許文献３】米国特許第３，１８０，４３５号明細書
【特許文献４】米国特許第３，４２８，１３７号明細書
【特許文献５】米国特許第３，６０５，９１４号明細書
【特許文献６】米国特許第３，７３４，５１５号明細書
【特許文献７】米国特許第３，８９０，０５１号明細書
【特許文献８】米国特許第４，５１３，８２７号明細書
【特許文献９】米国特許第４，８６５，４８５号明細書
【特許文献１０】米国特許第５，０３８，８６９号明細書
【特許文献１１】米国特許第５，４３８，８９４号明細書
【特許文献１２】米国特許第Ｄ３８４，５６３号明細書
【特許文献１３】米国特許第６，４４６，７３５号明細書
【特許文献１４】米国特許出願公開第２００２／０１５２８４８号明細書
【特許文献１５】独国特許発明第１４７８９９３号明細書
【特許文献１６】独国特許発明第１６０３９４５号明細書
【特許文献１７】独国特許発明第１９３９２６２号明細書
【特許文献１８】独国特許発明第２５０８３１６号明細書
【特許文献１９】独国特許発明第４４０２７３９号明細書
【特許文献２０】独国実用新案第２０１１８０２９号明細書
【特許文献２１】独国実用新案第２０２０１７３３号明細書
【特許文献２２】英国特許第１０１４０８１号明細書
【特許文献２３】欧州特許出願公開第００９２１２７号明細書
【特許文献２４】欧州特許第０７１９６１８号明細書
【特許文献２５】欧州特許第０７２１８２３号明細書
【特許文献２６】欧州特許第０７４７１７４号明細書
【特許文献２７】欧州特許第０８８５６９３号明細書
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
必要とする患者において微生物病原体の毒性を減弱させる、あるいは微生物病原体によるコロニー形成を阻害または低減させるための医薬組成物であって、微生物病原体の毒性を減弱させるか、または微生物病原体によるコロニー形成を阻害または低減させる有効量のｃ−ジ−ＧＭＰまたはその環状ジヌクレオチドアナログを含む医薬組成物。
【請求項２】
微生物病原体の毒性の減弱が細菌感染症を処置することを含む、請求項１記載の医薬組成物。
【請求項３】
細菌感染症がスタフィロコッカス・アウレウス（Staphylococcus aureus）感染症である、請求項２記載の医薬組成物。
【請求項４】
細菌感染症が乳腺のスタフィロコッカス・アウレウス感染症である乳房炎である、請求項２記載の医薬組成物。
【請求項５】
微生物のバイオフィルム形成を阻害することにより、または既に形成された微生物のバイオフィルムを低減させることにより細菌感染症が処置される、請求項２記載の医薬組成物。
【請求項６】
ｃ−ジ−ＧＭＰまたはその環状ジヌクレオチドアナログが、ｃ−ジ−ＧＭＰアゴニストとして作用するｃ−ジ−ＧＭＰまたはその環状ジヌクレオチドアナログを含む、請求項５記載の医薬組成物。
【請求項７】
微生物のバイオフィルムがスタフィロコッカス・アウレウスのバイオフィルムである、請求項６記載の医薬組成物。
【請求項８】
ｃ−ジ−ＧＭＰまたはその環状ジヌクレオチドアナログが、ｃ−ジ−ＧＭＰアンタゴニストとして作用するｃ−ジ−ＧＭＰの環状ジヌクレオチドアナログを含む、請求項５記載の医薬組成物。
【請求項９】
微生物のバイオフィルムがビブリオ・コレラ（Vibrio cholerae）のバイオフィルムまたはサルモネラ・エンテリティデス（Salmonella enteritidis）のバイオフィルムである、請求項８記載の医薬組成物。
【請求項１０】
微生物のバイオフィルムが皮膚、または鼻または粘膜表面上にある、請求項５記載の医薬組成物。
【請求項１１】
細菌感染症を処置する際に有効な抗生物質とともに用いられる、請求項２記載の医薬組成物。
【請求項１２】
ｃ−ジ−ＧＭＰの環状ジヌクレオチドアナログが環状ジヌクレオチド化合物（Ｉ）〜（ＸＩＸ）からなる群から選択されるものである、請求項１記載の医薬組成物。
【請求項１３】
微生物病原体のコロニー形成の阻害または低減が、微生物病原体によりコロニー形成されるリスクのある患者または微生物病原体により既にコロニー形成された患者を処置することを含む、請求項１記載の医薬組成物。
【請求項１４】
阻害または低減される微生物病原体のコロニー形成が、皮膚、または鼻または粘膜表面上にある、請求項１３記載の医薬組成物。
【請求項１５】
微生物病原体がスタフィロコッカス・アウレウスである、請求項１３記載の医薬組成物。
【請求項１６】
患者がスタフィロコッカス・アウレウスのキャリアである、請求項１３記載の医薬組成物。
【請求項１７】
固体表面上での微生物のコロニー形成およびバイオフィルム形成を阻害する、あるいはコロニー形成および既に形成された微生物のバイオフィルムを低減させるための医薬組成物であって、固体表面上での微生物のコロニー形成およびバイオフィルム形成を阻害するか、または微生物のコロニー形成および既に形成されたバイオフィルムを低減させる有効量のｃ−ジ−ＧＭＰまたはその環状ジヌクレオチドアナログを含む医薬組成物。
【請求項１８】
固体表面が医療器具の固体表面である、請求項１７記載の医薬組成物。
【請求項１９】
医療器具が患者に移植可能なものであるか、あるいは患者と接触可能なものである、請求項１８記載の医薬組成物。
【請求項２０】
医療器具が患者に移植されているか、そうでなければ患者と接触しているものである、請求項１８記載の医薬組成物。
【請求項２１】
微生物のコロニー形成およびバイオフィルムがスタフィロコッカス・アウレウスのコロニー形成およびバイオフィルムであり、ｃ−ジ−ＧＭＰまたはその環状ジヌクレオチドアナログがｃ−ジ−ＧＭＰまたはその環状ジヌクレオチドアゴニストである、請求項１７記載の医薬組成物。
【請求項２２】
細菌感染症を処置するための医薬の製造におけるｃ−ジ−ＧＭＰまたはその環状ジヌクレオチドアナログの使用。
【請求項２３】
コロニー形成および微生物のバイオフィルム形成を阻害するため、あるいはコロニー形成および既に形成された微生物のバイオフィルムを低減させるための医薬の製造におけるｃ−ジ−ＧＭＰまたはその環状ジヌクレオチドアナログの使用。